(57)【要約】【課題】マッサージ効果を向上させるのに有利な美容器具を提供する。【解決手段】美容器具１は、中空部Ｓ１を有する扁平状の本体部１０と、本体部１０の厚さ方向から視た状態で、本体部１０の端部１０ｅに設けられ、外周縁２０ａが少なくとも一つの凸曲部２３を有するように形成された施術部２０とを備える。本体部１０の厚さ方向から視た状態で、凸曲部２３には、頂部から底部にかけて連続する稜線部が形成されている。少なくとも一つの凸曲部２３は、内部にヒータ３０を有する。ヒータ３０は、稜線部を含む第一の面２７と対向している。本体部１０の厚さ方向に沿った第一の面２７の両端は、第二の面２８を有し、第二の面２８の曲率１／Ｒ２は、第一の面２７の曲率１／Ｒ１よりも大きい。【選択図】図５
2020171460.tif 000002
【特許請求の範囲】
【請求項１】
中空部を有する扁平状の本体部と、
前記本体部の厚さ方向から視た状態で、前記本体部の端部に設けられ、外周縁が少なくとも一つの凸曲部を有するように形成された施術部と、
を備え、
前記本体部の厚さ方向から視た状態で、前記凸曲部には、頂部から底部にかけて連続する稜線部が形成されており、
少なくとも一つの前記凸曲部は、内部にヒータを有し、
前記ヒータは、前記稜線部を含む第一の面と対向しており、
前記本体部の厚さ方向に沿った前記第一の面の両端は、第二の面を有し、
前記第二の面の曲率は、前記第一の面の曲率よりも大きい、美容器具。
【請求項２】
前記第一の面は、前記ヒータの加熱面と平行である、請求項１に記載の美容器具。
【請求項３】
前記本体部の厚さ方向に沿った長さにおいて、前記第一の面の長さは、前記ヒータの長さよりも長い、請求項１または２に記載の美容器具。
【請求項４】
前記本体部の厚さ方向に沿った長さにおいて、前記第一の面の長さは、前記ヒータの長さよりも短い、請求項１または２に記載の美容器具。
【請求項５】
中空部を有する扁平状の本体部と、
前記本体部の厚さ方向から視た状態で、前記本体部の端部に設けられ、外周縁が少なくとも一つの凸曲部を有するように形成された施術部と、
を備え、
前記本体部の厚さ方向から視た状態で、前記凸曲部には、頂部から底部にかけて連続する稜線部が形成されており、
少なくとも一つの前記凸曲部は、内部にヒータを有し、
前記凸曲部と前記ヒータとの間に、空気よりも熱伝導率が高い貼着部材が配置されている、美容器具。
【請求項６】
前記凸曲部の内部のうち、前記貼着部材が配置されていない部位には、空隙が配置されている、請求項５に記載の美容器具。
【請求項７】
前記施術部の内部に、振動部が設けられており、
前記振動部は、偏心軸を有し、
前記偏心軸は、前記ヒータの加熱面の法線と平行である、請求項５または６に記載の美容器具。
【発明の詳細な説明】
【技術分野】
【０００１】
本開示は、使用者の肌に当接させて、肌に物理刺激を付与する美容器具に関する。
【背景技術】
【０００２】
従来、本体部と、当該本体部に対して相対的に振動する施術部とを備え、使用者が本体部を把持した状態で施術部を肌に当接させて振動させることで、肌に物理刺激を付与することができる美容器具が知られている（例えば、特許文献１参照）。
【０００３】
特許文献１に開示されている美容器具では、施術部は、外周縁に凸曲部を有する。そして、当該凸曲部には、頂部から底部にかけて連続し、本体部の厚さ方向に沿った断面形状が曲形状となる稜線部が形成されている。これにより、稜線部が肌に食い込み易くなるため、例えば、局所的に肌を振動させてマッサージ感を高めることができる。
【先行技術文献】
【特許文献】
【０００４】
【特許文献１】特開２０１５−２２３４１９号公報
【発明の概要】
【発明が解決しようとする課題】
【０００５】
特許文献１に開示されているような施術部を備える美容器具によれば、上記のようなマッサージ効果が期待できるものの、更なるマッサージ効果の向上が望まれている。
【０００６】
本開示は、このような従来技術の有する課題に鑑みてなされたものである。そして、本開示の目的は、マッサージ効果を向上させるのに有利な美容器具を提供することにある。
【課題を解決するための手段】
【０００７】
上記課題を解決するために、本開示の第一の態様にかかる美容器具は、中空部を有する扁平状の本体部と、本体部の厚さ方向から視た状態で、本体部の端部に設けられ、外周縁が少なくとも一つの凸曲部を有するように形成された施術部と、を備え、本体部の厚さ方向から視た状態で、凸曲部には、頂部から底部にかけて連続する稜線部が形成されており、少なくとも一つの凸曲部は、内部にヒータを有し、ヒータは、稜線部を含む第一の面と対向しており、本体部の厚さ方向に沿った第一の面の両端は、第二の面を有し、第二の面の曲率は、第一の面の曲率よりも大きい。
【０００８】
また、本開示の第二の態様にかかる美容器具は、中空部を有する扁平状の本体部と、本体部の厚さ方向から視た状態で、本体部の端部に設けられ、外周縁が少なくとも一つの凸曲部を有するように形成された施術部と、を備え、本体部の厚さ方向から視た状態で、凸曲部には、頂部から底部にかけて連続する稜線部が形成されており、少なくとも一つの凸曲部は、内部にヒータを有し、凸曲部とヒータとの間に、空気よりも熱伝導率が高い貼着部材が配置されている。
【発明の効果】
【０００９】
本開示によれば、マッサージ効果を向上させるのに有利な美容器具を提供することができる。
【図面の簡単な説明】
【００１０】
【図１】本開示の一実施形態にかかる美容器具の斜視図である。
【図２】本開示の一実施形態にかかる美容器具の斜視図である。
【図３】本開示の一実施形態にかかる美容器具の側面図である。
【図４】本開示の一実施形態にかかる美容器具の断面図である。
【図５】図３のＶ−Ｖ断面図である。
【図６】本開示の他の実施形態にかかる美容器具の断面図である。
【図７】図５に対応して描画した、本開示の他の実施形態に係るＶ−Ｖ断面図である。
【発明を実施するための形態】
【００１１】
以下、本開示の実施形態について、図面を参照しながら説明する。なお、以下の実施形態によって本開示が限定されるものではない。
【００１２】
また、以下、本体部１０の長辺部１０ａに略平行な方向を長手方向ＸまたはＸ方向とする。また、本体部１０の厚さ方向を厚さ方向ＺまたはＺ方向とする。そして、長手方向Ｘに直交するとともに厚さ方向Ｚに直交する方向を短手方向ＹまたはＹ方向とする。
【００１３】
本実施形態にかかる美容器具１は、使用者が本体部１０を把持した状態で施術部２０を肌に当接させて、施術部２０を肌上で動かすことにより、肌に物理刺激を付与する。
【００１４】
美容器具１は、中空部Ｓ１を有する扁平状の本体部１０を備えている。また、美容器具１は、本体部１０のＺ方向から視た状態で、本体部１０の端部１０ｅに設けられ、外周縁２０ａが少なくとも一つの凸曲部を有するように形成された施術部２０を備えている。
【００１５】
なお、本実施形態では、３つの凸曲部２２，２３，２４を有するように外周縁２０ａが形成されている。しかし、凸曲部の数はこれに限らず、１つまたは２つの凸曲部が形成されるようにしてもよいし、４つ以上の凸曲部が形成されるようにしてもよい。
【００１６】
本体部１０は、図３に示すように、Ｚ方向から視た状態で、美容器具１の外周縁となる長辺部１０ａと、施術部２０が設けられる側に延在する短辺部１０ｂとを備えている。
【００１７】
本体部１０は、長辺部１０ａの一端と短辺部１０ｂの一端とを連結し、施術部２０が設けられる側に延在する第一の斜辺部１０ｃと、長辺部１０ａの他端と短辺部１０ｂの他端とを連結し、美容器具１の外周縁となる第二の斜辺部１０ｄとを備えている。
【００１８】
本体部１０は、Ｚ方向から視た状態で、長辺部１０ａ、短辺部１０ｂ、第一の斜辺部１０ｃ、および、第二の斜辺部１０ｄとで略台形状となるように形成されている。本体部１０は、美容器具１を使用する際に、使用者が手で把持する把持部として機能する。
【００１９】
そして、使用者が本体部１０を把持した状態で、使用者自身の肌、または、使用者以外の被施術者の肌に施術部２０を当接させて動かすことで、使用者や被施術者の肌に物理刺激が与えられる。
【００２０】
また、本体部１０は、扁平状の本体ハウジング１１を備えている。本体ハウジング１１は、本体部１０の外郭をなしている。
【００２１】
ところで、本体ハウジング１１の外面１１ａにエッジが形成されてしまうと、使用者が本体部１０を把持した際に、使用者の手にエッジが当たってしまい、使用者の手に余計な刺激を与えてしまうおそれがある。
【００２２】
そこで、本実施形態では、外面１１ａが全体的に丸みを帯びるように本体ハウジング１１が形成されている。これにより、外面１１ａにエッジが形成されてしまうのを極力抑制することができ、使用者に余計な刺激を与えてしまうことを抑制することができる。
【００２３】
本体ハウジング１１は、例えば、合成樹脂で形成された複数の分割体を継ぎ合わせることで、内部に上述した中空部Ｓ１を形成する。そして、中空部Ｓ１内には、制御回路基板８０や蓄電池９０等、各種の電気製品が内蔵される。
【００２４】
さらに、本体ハウジング１１の一面１１ｃには、蓄電池９０を充電する不図示のコネクタを差し込むための差し込み口９１が設けられた開口部１１ｅが形成されている。開口部１１ｅは、開閉可能な蓋部１２によって塞がれている。
【００２５】
一方、施術部２０は、図４に示すように、中空部Ｓ２を有し、施術部２０の外郭をなす施術部本体ハウジング２１を備えている。そして、施術部本体ハウジング２１は、Ｚ方向から視た状態で、本体部１０の短辺部１０ｂおよび第一の斜辺部１０ｃ側に設けられている。このように、本実施形態では、短辺部１０ｂおよび第一の斜辺部１０ｃが本体部１０の端部１０ｅに相当している。
【００２６】
施術部本体ハウジング２１は、例えば、アルミニウム合金で形成された複数の分割体を継ぎ合わせることで、内部に中空部Ｓ２を形成する。
【００２７】
施術部本体ハウジング２１を本体部１０の端部１０ｅに設けた状態で、Ｚ方向から視た際に、施術部本体ハウジング２１における長辺部１０ａと第一の斜辺部１０ｃとの交点１０ｆ側に、凸曲部２２が形成されている。
【００２８】
凸曲部２２は、Ｚ方向から視た状態で、第一の斜辺部１０ｃと交差する方向（ほぼ直行する方向）に突出している。凸曲部２２には、底部２２ａから頂部２２ｂを通って底部２２ｃまで滑らかに連続した第一の凸状稜線部２２ｄが形成されている。
【００２９】
また、施術部本体ハウジング２１を本体部１０の端部１０ｅに設けた状態で、Ｚ方向から視た際に、施術部本体ハウジング２１における短辺部１０ｂと第一の斜辺部１０ｃとの交点１０ｇ側に、凸曲部２３が形成されている。
【００３０】
凸曲部２３は、Ｚ方向から視た状態で、第一の斜辺部１０ｃと交差する方向（ほぼ直行する方向）に突出している。凸曲部２３には、底部２３ａから頂部２３ｂを通って底部２３ｃまで滑らかに連続した第二の凸状稜線部２３ｄが形成されている。なお、本実施形態では、凸曲部２３は、凸曲部２２よりも外側に大きく突出する。
【００３１】
そして、凸曲部２２と凸曲部２３との間（底部２２ｃと底部２３ａとの間）には、凸曲部２２と凸曲部２３とを滑らかに連結する第一の凹曲部２５が形成されている。
【００３２】
第一の凹曲部２５には、滑らかに連続した第一の凹状稜線部２５ａが形成されている。
【００３３】
また、施術部本体ハウジング２１を本体部１０の端部１０ｅに設けた状態で、Ｚ方向から視た際に、施術部本体ハウジング２１における短辺部１０ｂと第二の斜辺部１０ｄとの交点１０ｈ側に、凸曲部２４が形成されている。なお、長辺部１０ａと第二の斜辺部１０ｄとの交点１０ｉは、施術部２０から離れた位置に形成されている。
【００３４】
凸曲部２４は、Ｚ方向から視た状態で、短辺部１０ｂと交差する方向（ほぼ直行する方向）に突出している。凸曲部２４には、底部２４ａから頂部２４ｂを通って底部２４ｃまで滑らかに連続した第三の凸状稜線部２４ｄが形成されている。なお、本実施形態では、凸曲部２４は、凸曲部２２よりも突出量が小さい。
【００３５】
したがって、本実施形態では、凸曲部２３の突出量（頂部２３ｂから本体部１０までの距離）が最も大きく、凸曲部２４の突出量（頂部２４ｂから本体部１０までの距離）が最も小さい。そして、凸曲部２２の突出量（頂部２２ｂから本体部１０までの距離）が、凸曲部２３の突出量と凸曲部２４の突出量との中間となっている。
【００３６】
このように、３種類の凸曲部を設けることで、肌をマッサージする際に、より最適な凸曲部を肌に当接させることができる。
【００３７】
そして、凸曲部２３と凸曲部２４との間（底部２３ｃと底部２４ａとの間）には、凸曲部２３と凸曲部２４とを滑らかに連結する第二の凹曲部２６が形成されている。
【００３８】
第二の凹曲部２６には、滑らかに連続した第二の凹状稜線部２６ａが形成されている。
【００３９】
本実施形態では、Ｚ方向から視た状態で、第二の凹曲部２６の方が、第一の凹曲部２５よりも緩やかに湾曲している。すなわち、第二の凹状稜線部２６ａの方が、第一の凹状稜線部２５ａよりも曲率が小さい。
【００４０】
このように、２種類の凹曲部を設けることで、肌をマッサージする際に、より最適な凸曲部を肌に当接させることができる。
【００４１】
特に、緩やかに湾曲した第二の凹曲部２６は、頬、額などのマッサージを行う際に当接させるのに適している。大きく湾曲した第一の凹曲部２５は、頬側から喉側にかけて当接させた状態で顎部をマッサージするのに適している。
【００４２】
なお、本実施形態では、Ｚ方向から視た状態で、外周縁２０ａが描く曲線の変曲点を底部２２ｃ、２３ａ、２３ｃ、２４ａとしている。
【００４３】
このように、本実施形態では、施術部本体ハウジング２１は、図３に示すように、Ｚ方向から視た状態で、小文字の逆ｙの字に似た形状となるように形成されている。
【００４４】
一方、本実施形態では、施術部本体ハウジング２１における稜線部は、図５に示すように、ＸＹ平面に沿って視た状態で、平面、または、傾斜もしくは曲がりが緩やかな面である第一の面２７に含まれる。ここで、稜線部とは、第一の凸状稜線部２２ｄ、第一の凹状稜線部２５ａ、第二の凸状稜線部２３ｄ、第二の凹状稜線部２６ａおよび第三の凸状稜線部２４ｄが連なる稜線部をいう。なお、図５では、第二の凹状稜線部２６ａを含む第一の面２７を例示している。
【００４５】
ＹＺ平面上にあって稜線部を通る直線を基準線Ｌと規定し、基準線Ｌ上の一点を中心点Ｐ１と規定すると、第一の面２７は、中心点Ｐ１を基準とした第一の曲率半径Ｒ１、すなわち、曲率１／Ｒ１で規定される面である。
【００４６】
第一の面２７のＸ方向の長さは、第一の幅Ｗ１で表される。ただし、第一の幅Ｗ１は、稜線部に沿って一定ではなく、図１および図２に示すように、凸曲部２２，２３，２４の各形状に合わせて変化してもよい。
【００４７】
第一の面２７は、図５に示す例では、第一の曲率半径Ｒ１が無限遠、すなわち、曲率がゼロに近い平面である。ただし、本開示の美容器具１では、第一の面２７は、厳密な平面ではなく、曲率がゼロよりも大きい曲面であってもよい。
【００４８】
このような第一の面２７は、稜線部のうち、少なくとも凸曲部２２と凸曲部２３とを含む第二の凸状稜線部２３ｄから第三の凸状稜線部２４ｄまでの領域に形成されている。本実施形態では、図１および図２に示すように、第一の面２７は、第一の凹状稜線部２５ａから第三の凸状稜線部２４ｄまでの領域のうち、凸曲部２２のおおよそ頂部２２ｂから凸曲部２３のおおよそ頂部２４ｂに至るまで形成されている。
【００４９】
また、ＹＺ平面におおよそ沿った施術部本体ハウジング２１の側面として、互いにおおよそ対向する２つの第三の面２９を規定する。第一の面２７の延伸方向の両端は、それぞれ、２つの第二の面２８のいずれかを介して第三の面２９のいずれかと連続する。
【００５０】
２つの第二の面２８は、それぞれ、中心点Ｐ２を基準とした第二の曲率半径Ｒ２、すなわち、曲率１／Ｒ２で規定される曲面である。この場合、２つの中心点Ｐ２は、第一の面２７の延伸形状に沿った曲線上にある。
【００５１】
そして、本実施形態では、第二の面２８の曲率１／Ｒ２は、第一の面２７の曲率１／Ｒ１よりも大きい。
【００５２】
つまり、第一の面２７が平面または平面に近い曲面であったとしても、第二の面２８は比較的曲率の大きな凸状の曲面形状を有するので、第一の面２７よりも第二の面２８の方が肌に食い込み易くなる。したがって、例えば、使用者が肌を引き上げたいと考えた場合には、第二の面２８を中心に肌に当接させることで、肌を引き上げ易くなる。または、例えば、使用者が局所的に肌を振動させてマッサージ感を高めたいと考えた場合には、第二の面２８を中心に肌に当接させることで、所望のマッサージ効果を得やすくなる。
【００５３】
なお、図５等に示す例では、２つの第二の面２８のそれぞれの曲率１／Ｒ２が同一であるものとしたが、互いに若干異なっていてもよい。これにより、使用者は、例えば、局所的にやや強いマッサージ感を得たい場合には、曲率の小さい方の第二の面２８を肌に当接させ、一方、より強いマッサージ感を得たい場合には、曲率の大きな方の第二の面２８を肌に当接させるよう調整することができる。
【００５４】
また、凸曲部および凹曲部は、上記例示した箇所に当接させる用途に限定されるものではなく、人体の所望の部位に当接させてマッサージを行うことができる。すなわち、使用者や被施術者の好みに合わせて凸曲部や凹曲部を人体の所望の部位に当接させることが可能である。
【００５５】
また、施術部本体ハウジング２１は、おおよそ一定の厚みで形成されている。つまり、第一の面２７の裏面２７ａは、第一の面２７とおおよそ平行である。同様に、第三の面２９の裏面２９ａは、第三の面２９とおおよそ平行である。
【００５６】
また、本実施形態では、図４および図５に示すように、施術部２０の内部に、施術部２０の少なくとも一部を加熱するためのヒータ３０が設けられている。
【００５７】
ヒータ３０は、全体として薄肉板状であり、ヒータ３０を設置する部分の形状に合わせてフレキシブルに変形可能であることが望ましい。ヒータ３０として採用し得る構造としては、特に限定されるものではないが、例えば、シーズヒータを内蔵したシート状ヒータであってもよい。ヒータ３０は、制御回路基板８０にある制御回路に電気的に接続されている。以下、制御回路とは、制御回路基板８０に設けられているものをいう。制御回路基板８０は、本体ハウジング１１の中空部Ｓ１内に収容されている。
【００５８】
ヒータ３０は、具体的には、施術部２０の内部のうち、第一の面２７と対向する第一の面２７の裏面２７ａ側に設置される。本実施形態では、ヒータ３０は、図４および図５に示すように、第一の面２７の裏面２７ａにヒータ３０の加熱面３０ａが対向した状態で、本体部１０に対して施術部２０を支持させる支持部５０に設置されていてもよい。ヒータ３０のＸ方向の長さ、具体的にはヒータ３０の加熱面３０ａのＸ方向の長さは、第二の幅Ｗ２で表される。
【００５９】
ここで、第一の面２７は、ヒータ３０の加熱面３０ａと平行であってもよい。これにより、ヒータ３０が内部に設置されている凸曲部２３等に対して、ヒータ３０からの熱を効率よく伝えることができる。なお、第一の面２７は、図５に示すように平面である場合にはヒータ３０の加熱面３０ａと平行となるが、曲面である場合にはヒータ３０の加熱面３０ａとおおよそ平行となる。したがって、ここでいう平行には、略平行も含まれる。
【００６０】
また、ヒータ３０は、少なくとも一つの凸曲部の内部に設置される。例えば、ヒータ３０は、使用者が最も肌に当接させることが多いと想定される凸曲部２３の内部に設置されることが望ましい。この場合、ヒータ３０は、少なくとも底部２３ａの近傍から頂部２３ｂを経由して底部２３ｃの近傍にかけて延伸することになる。
【００６１】
なお、図４に示す例では、ヒータ３０は、凸曲部２３の内部に設置されるのみならず、凸曲部２３から第二の凹曲部２６にかけて連続して設置されている。この場合、施術部２０においてヒータ３０により加熱される範囲が凸曲部２３周辺のみならず第二の凹曲部２６周囲にまで広がる。
【００６２】
ここで、第一の幅Ｗ１は、図５に示すように、第二の幅Ｗ２よりも長くてもよい。この場合、ヒータ３０の加熱面３０ａの面積に比べて、施術部２０における放熱面の面積の方が大きくなる。その結果、施術部２０における放熱面とヒータ３０の加熱面３０ａとの熱勾配が大きくなるので、第一の面２７以外への熱の流れが少なくなる。したがって、ヒータ３０からの熱を、施術部２０側に効率的に供給させることができる。
【００６３】
一方、第一の幅Ｗ１は、図５に示す場合とは逆に、第二の幅Ｗ２よりも短くてもよい。この場合、第一の面２７における熱流束が大きくなる。したがって、ヒータ３０が内部に設置されている凸曲部２３等をより早期に昇温させることができる。
【００６４】
このように、ヒータ３０を施術部２０に設けることで、使用者の肌に当接する施術部２０がヒータ３０により温まるので、肌に温感を与えることができる。
【００６５】
また、本実施形態では、ヒータ３０は、平面状である第一の面２７の裏面２７ａ側に設置されているので、第一の面２７が、施術部２０における主たる放熱面となる。つまり、使用者の肌に対して比較的広い面積で当接する第一の面２７が主たる放熱面であるので、使用者がより温感を得やすくなる。
【００６６】
さらに、本実施形態では、施術部２０の材質を熱伝達効率が高いアルミニウム合金としているので、施術部２０は、ヒータ３０から発せられて第一の面２７の裏面２７ａで受けた熱を効率よく第一の面２７又は第二の面２８へ伝えることができる。
【００６７】
また、本実施形態では、図４に示すように、施術部２０の内部に、本体部１０に対する相対的な振動を施術部２０に付与する振動部４０が設けられている。
【００６８】
振動部４０は、例えば、モータ本体４１ａおよびモータ軸４１ｂを有するモータ４１と、モータ軸４１ｂと連続する偏心軸４２とを備える。
【００６９】
モータ４１は、制御回路に電気的に接続されている。偏心軸４２は、例えば、モータ軸４１ｂと、モータ軸４１ｂに対して取り付けられた偏心錘とで構成される。偏心錘の中心軸は、モータ軸４１ｂの中心軸からずれている。モータ軸４１ｂが回転すると、モータ４１に偏心錘による遠心力が働き、施術部２０が振動する。
【００７０】
振動部４０は、複数の凸曲部のうち最も突出した凸曲部２３の内部に形成された振動部収容空間Ｓ３内に設けられている。すなわち、振動部４０は、施術部２０の先端側に配置されている。具体的には、振動部収容空間Ｓ３内において、頂部２３ｂから本体部１０までの距離が最も大きい凸曲部２３の振動部収容空間Ｓ３内における頂部２３ｂ側に、振動発生源である偏心軸４２が位置するように、振動部４０が設けられている。
【００７１】
これにより、モータ４１の出力および回転数を同一とした場合に、偏心軸４２に生じるモーメントをより大きくすることができるため、より効果的に施術部２０に振動を与えることができる。また、偏心軸４２およびモータ４１を小さくすることが可能となり、美容器具１の小型化やコストダウンも可能となる。
【００７２】
このように、振動部４０を施術部２０に設けることで、施術部２０を機械的に振動させることができるので、施術部２０を肌に当接させた状態で、使用者が美容器具１を直接動かさなくても、肌に物理刺激を与えることができる。
【００７３】
また、施術部２０を振動させた状態で肌に当接させつつ、使用者が美容器具１を動かすようにすれば、手で動かす動作による物理刺激に加えて、手で動かす動作よりも細かな振動を肌に与えることができる。
【００７４】
なお、施術部２０と本体部１０とは別体に構成されているので、施術部２０を本体部１０に対して相対的に振動させるために、施術部２０が本体部１０に相対振動できるように支持されている必要がある。そこで、本実施形態では、施術部２０は、支持部５０を介して本体部１０に支持されている。
【００７５】
さらに、制御回路基板８０には、振動部４０の振動モードを切り替える振動モード切替スイッチ６０の第一のスイッチ部６２と、ヒータ３０による加熱のオン・オフを切り替えるヒータ切替スイッチ６４の第二のスイッチ部６６とが形成されている。
【００７６】
第一のスイッチ部６２および第二のスイッチ部６６は、それぞれ、制御回路に電気的に接続されている。第一のスイッチ部６２と対向する部位には、第一の操作ボタン６１が設けられている。第二のスイッチ部６６と対向する部位には、第二の操作ボタン６５が設けられている。
【００７７】
本実施形態では、第一の操作ボタン６１および第二の操作ボタン６５は、Ｘ方向に沿って並ぶように、本体部１０の長辺部１０ａに対応する本体ハウジング１１の側面１１ｂの側に設けられている。
【００７８】
まず、作業者が第一の操作ボタン６１を押圧することで第一のスイッチ部６２が作動し、振動部４０の振動モードを順次切り替えることができる。
【００７９】
ここで、本実施形態では、振動部４０を作動させる際に、互いに振動の周期や強弱等が異なる複数の振動モードのうちから所望のモードを適宜選択できる。これらの複数の振動モードは、制御回路に記憶される。
【００８０】
一方、作業者が第二の操作ボタン６５を押圧することで第二のスイッチ部６６が作動し、ヒータによる加熱のオン・オフを切り替えることができる。
【００８１】
ここで、制御回路は、第二の操作ボタン６５による押圧により、単に加熱のオン・オフを切り替えるだけでなく、例えば、複数段階に加温温度を変化させるものとしてもよい。
【００８２】
さらに、本実施形態では、作業者が第一の操作ボタン６１を押圧することで、電源をオン・オフさせることもできる。すなわち、本実施形態では、電源がオン・オフされる現象も、振動部４０の振動モードが切り替えられた結果生じるものであると定義することができる。なお、電源をオン・オフするスイッチ部および操作ボタンを振動モード切替スイッチ６０とは別に設けてもよい。
【００８３】
さらに、制御回路基板８０には、複数のＬＥＤ７２が実装されている。これらのＬＥＤ７２は、それぞれ、制御回路に電気的に接続されている。また、これらのＬＥＤ７２は、それぞれ、例えば赤色や緑色など互いに異なる色の光を照射するものであってもよい。
【００８４】
また、複数のＬＥＤ７２と対向するように、導光部７１が形成されている。
【００８５】
導光部７１は、本体ハウジング１１に、側面１１ｂから露出するように形成されている。導光部７１は、複数のＬＥＤ７２のうちの少なくともいずれかから照射された光を外部に透過させる。
【００８６】
そして、使用者が導光部７１から透過される光を視認することで、振動部４０がいずれのモードで動作しているのか、または、ヒータ３０がオンになっているかなどを確認することができる。また、電池残量が少なくなったときには、点滅等の通常使用とは異なる点灯方法を行うことにより、使用者に報知することができる。
【００８７】
以上、説明したように、本実施形態にかかる美容器具１は、中空部Ｓ１を有する扁平状の本体部１０を備える。また、美容器具１は、本体部１０の厚さ方向（例えばＺ方向）から視た状態で、本体部１０の端部１０ｅに設けられ、外周縁２０ａが少なくとも一つの凸曲部２３を有するように形成された施術部２０を備える。ここで、本体部１０の厚さ方向から視た状態で、凸曲部２３等には、頂部から底部にかけて連続する稜線部が形成されている。また、少なくとも一つの凸曲部２３等は、内部にヒータ３０を有する。
【００８８】
そして、ヒータ３０は、稜線部を含む第一の面２７と対向している。本体部１０の厚さ方向に沿った第一の面２７の両端は、第二の面２８を有する。また、第二の面２８の曲率１／Ｒ２は、第一の面２７の曲率１／Ｒ１よりも大きい。
【００８９】
これにより、使用者の肌に当接する施術部２０がヒータ３０により温まるので、使用者の温感満足度が向上する。このとき、稜線部の先端に行くほど先細りとならず、十分な面積のヒータ３０を稜線部に近づけることができるので、使用者の温感満足度を向上させるのにより有利となる。また、使用者が、美容器具１を肌に当てる角度を少し変えれば、曲率が第一の面２７よりも大きな第二の面２８を肌に当てることができるので、温熱による刺激に加えて、押圧などの刺激を簡単な操作で変化させることができる。したがって、温熱を加えた刺激により、マッサージ効果を向上させることができる。
【００９０】
また、第一の面２７は、ヒータ３０の加熱面３０ａと平行であってもよい。
【００９１】
これにより、例えば凸曲部２３等に対してヒータ３０からの熱を効率よく伝えることができる。
【００９２】
また、本体部１０の厚さ方向に沿った長さにおいて、第一の面２７の長さすなわち図５に示す第一の幅Ｗ１は、ヒータ３０の長さすなわち図５に示す第二の幅Ｗ２よりも長くてもよい。
【００９３】
これにより、施術部２０における放熱面の面積が大きくなり、その結果、放熱面とヒータ３０の加熱面３０ａとの熱勾配が大きくなるので、第一の面２７以外への熱の流れが少なくなる。したがって、ヒータ３０からの熱を効率的に第一の面２７側へ供給させることができる。
【００９４】
一方、本体部１０の厚さ方向に沿った長さにおいて、第一の面２７の長さは、ヒータ３０の長さよりも短くてもよい。
【００９５】
これにより、第一の面２７における熱流束が大きくなるので、凸曲部２３等を早期に昇温させることができる。
【００９６】
なお、上記の説明では、ヒータ３０は、加熱面３０ａが直接的に第一の面２７の裏面２７ａに対向するように、少なくとも凸曲部２３等の内部に設置されているものとした。この場合、ヒータ３０の加熱面３０ａと第一の面２７の裏面２７ａとの間には、空気層が存在するとみなすことができる。
【００９７】
これに対して、本開示の美容器具１にかかる他の実施形態として、図６および図７に示すように、凸曲部２３等とヒータ３０との間に、空気よりも熱伝導率が高い貼着部材３２が配置されていてもよい。
【００９８】
貼着部材３２は、例えば、粘度の高い液状物質であってもよい。このような液状物質としては、例えば、熱伝導性に優れた金属粉末を混ぜ合わせたシリコーン系グリス等の放熱グリスを採用することができる。
【００９９】
これにより、稜線部を含む第一の面２７の裏面２７ａと、ヒータ３０の加熱面３０ａとは、貼着部材３２を介して連続することになり、例えば第二の凹状稜線部２６ａ等の稜線部とヒータ３０との間に空気層が存在しなくなる。したがって、ヒータ３０は、十分な加熱を施術部２０に付与することができる。
【０１００】
また、凸曲部２３等の内部のうち、貼着部材３２が配置されていない部位には、空隙が配置されていてもよい。
【０１０１】
このような空隙として、図６では、凸曲部２３の内部に形成されている空隙Ｃ１と、凸曲部２２の内部に形成されている空隙Ｃ２を例示している。なお、空隙Ｃ１と空隙Ｃ２とは、実際には互いに連続している。また、図７では、第二の凹曲部２６の内部に形成されている空隙Ｃ３を例示している。
【０１０２】
これらの空隙Ｃ１，Ｃ２，Ｃ３は、空気で満たされた空間であるので、基本的には断熱空間として機能する。したがって、貼着部材３２が配置されていない部位では、熱漏れを低減させることができる。
【０１０３】
また、施術部２０の内部に、振動部４０が設けられている。また、振動部４０は、偏心軸４２を有する。この場合、偏心軸４２は、ヒータ３０の加熱面３０ａの法線と平行であってもよい。
【０１０４】
ここで、ヒータ３０の加熱面３０ａは、施術部２０の形状すなわち第一の面２７の形状に合わせて各部位で姿勢が異なるが、基本的にはＺ方向に沿った面で構成されている。したがって、加熱面３０ａの法線は、ＸＹ平面上にある仮想線である。そして、本実施形態では、図６に示すように、偏心軸４２は、ＸＹ平面上にある仮想線と平行であるとみなすことができる。
【０１０５】
このように偏心軸４２と加熱面３０ａの法線とが平行となるように偏心軸４２およびヒータ３０を凸曲部２３の内部に設置することで、振動部４０の動作による貼着部材３２の経時的な位置ずれを低減させることができる。
【０１０６】
以上、好ましい実施形態について説明したが、本開示の実施形態は、これ限定されず、その要旨の範囲内で種々の変形および変更が可能である。
【０１０７】
例えば、上記実施形態では、第一の面２７がなだらかな面であるものしたが、例えば、押圧や加熱による刺激に実質的に影響を与えない範囲で、第一の面２７に凹凸が形成されていてもよい。
【０１０８】
また、本体ハウジングや施術部本体ハウジング、その他細部のスペック（形状、大きさ、レイアウト等）も適宜に変更可能である。
【符号の説明】
【０１０９】
１      美容器具
１０    本体部
１０ｅ  端部
Ｓ１    中空部
２０    施術部
２０ａ  外周縁
２３    凸曲部
２３ｄ  第二の凸状稜線部
２４ｄ  第三の凸状稜線部
２６ａ  第二の凹状稜線部
２７    第一の面
２８    第二の面
３０    ヒータ
３０ａ  加熱面
３２    貼着部材
４０    振動部
４２    偏心軸
Ｃ１，Ｃ２，Ｃ３    空隙
Ｒ１    第一の曲率半径
Ｒ２    第二の曲率半径
【図１】
2020171460.tif 000003
【図２】
2020171460.tif 000004
【図３】
2020171460.tif 000005
【図４】
2020171460.tif 000006
【図５】
2020171460.tif 000007
【図６】
2020171460.tif 000008
【図７】
2020171460.tif 000009